(57)【特許請求の範囲】
【請求項１】
下面側に他の装置と電気的に接続するための接続部が設けられた太陽電池モジュールを屋根面に取り付ける方法であって、
太陽電池モジュールを固定するための一対の平行な固定レールを、屋根面との間に隙間ができるように屋根面に取り付ける工程と、
太陽電池モジュールの一の辺を前記固定レールの一のレールに係止し、当該係止部分を支点として太陽電池モジュールの前記一の辺に対向する他の辺を持ち上げる工程と、
支持具を、上部で前記太陽電池モジュールの他の辺側を支持し下部が前記固定レールの他のレールの隙間に差し込まれるように太陽電池モジュールと前記固定レールの他のレールとの間に介在して、太陽電池モジュールを起立状態に支持する工程と、
前記太陽電池モジュールの接続部と他の装置を電気的に接続する工程と、
前記支持具を取り外し、前記太陽電池モジュールを倒す工程と、
前記太陽電池モジュールの一の辺と他の辺を前記固定レールの一のレールと他のレールにそれぞれ固定する工程と、を有する、太陽電池モジュールの取り付け方法。
【請求項２】
前記支持具は、下端に、屈曲した爪部を備えており、
前記爪部が前記固定レールの他のレールの隙間に差し込まれて、前記支持具が前記他のレールに係止される、請求項１に記載の太陽電池モジュールの取り付け方法。
【請求項３】
前記太陽電池モジュールを起立状態に支持する際に、前記支持具の上部と前記太陽電池モジュールの他の辺とをクリップにより挟んで固定する工程を、さらに有する、請求項１又は２に記載の太陽電池モジュールの取り付け方法。
【請求項４】
前記支持具は、多段階に設けられた複数の係止部を有し、
前記支持具の複数の係止部からひとつの係止部を選択し、当該係止部に太陽電池モジュールの他の辺を係止して、前記太陽電池モジュールを起立状態に支持する、請求項１〜３のいずれかに記載の太陽電池モジュールの取り付け方法。
【請求項５】
屋根面との間に隙間のある一対の平行の固定レールに太陽電池モジュールを取り付ける際に太陽電池モジュールを支持するための支持具であって、
棒状の本体と、
前記本体の下端に設けられ、前記本体に対して屈曲した爪部と、を備えており、
前記爪部が前記一対の平行な固定レールのうち少なくとも一方の固定レールと前記屋根面との間の前記隙間に差し込まれ、上部で前記太陽電池モジュールを支持して、前記太陽電池モジュールを起立状態に支持可能な、支持具。
【請求項６】
多段階に設けられた複数の係止部を有し、
複数の係止部から選択された係止部に太陽電池モジュールの上辺を係止して、前記太陽電池モジュールを起立状態に支持する、請求項５に記載の支持具。
【発明の詳細な説明】
【技術分野】
【０００１】
本発明は、下面側に他の装置と電気的に接続するための接続部が設けられた太陽電池モジュールを屋根面に取り付ける方法及び、太陽電池モジュールを取り付ける際に太陽電池モジュールを支持するための支持具に関する。
【背景技術】
【０００２】
建物の屋根面に設置する太陽電池モジュールは、その下面側の接続部と他のモジュールとをケーブルを介して電気的に接続する必要がある。そのため、太陽電池モジュールを屋根面に取り付ける際には、作業者が、太陽電池モジュールを屋根面の所定位置に仮配置した状態で持ち上げて起立させ、太陽電池モジュールのケーブルの接続作業を行い、その接続作業の完了後に、起立状態の太陽電池モジュールを寝かせて架台に固定する、という作業が必要になる。
【０００３】
かかる作業は、一人の作業者が単独で行うことは困難であるので、二人の作業者のうち一方が太陽電池モジュールを支え、他方がケーブルの接続作業を行うのが一般的であり、作業効率がよくなかった。
【０００４】
ところで、特許文献１には、複数の縦梁と複数の横梁からなる太陽発電モジュール取付架台を屋根上の複数の第１の取付具で支持されて屋根上に起立保持し、その太陽電池モジュール取付架台に太陽発電モジュールを取り付け、電線結線を行った後、太陽発電モジュール取付架台を屋根上に倒して固定することが開示されている。
【先行技術文献】
【特許文献】
【０００５】
【特許文献１】特開２００２-７０２７０号公報
【発明の概要】
【発明が解決しようとする課題】
【０００６】
しかしながら、この方法では、一人でも作業が可能になるが、明らかに大掛かりとなる専用の太陽電池モジュール取付架台や、太陽電池モジュール取付架台の専用の取付装置が必要になり、コスト面で不利となる。また作業が煩雑で汎用性も低かった。
【０００７】
本発明はかかる点に鑑みてなされたものであり、簡易で汎用性の高い方法で、単独の作業者により行うことができる太陽電池モジュールの取り付け方法及び、その際用いられる支持具を提供することを目的とする。
【課題を解決するための手段】
【０００８】
上記目的を達成するための本発明は、下面側に他の装置と電気的に接続するための接続部が設けられた太陽電池モジュールを屋根面に取り付ける方法であって、太陽電池モジュールを固定するための一対の平行な固定レールを、屋根面との間に隙間ができるように屋根面に取り付ける工程と、太陽電池モジュールの一の辺を前記固定レールの一のレールに係止し、当該係止部分を支点として太陽電池モジュールの前記一の辺に対向する他の辺を持ち上げる工程と、支持具を、上部で前記太陽電池モジュールの他の辺側を支持し下部が前記固定レールの他のレールの隙間に差し込まれるように太陽電池モジュールと前記固定レールの他のレールとの間に介在して、太陽電池モジュールを起立状態に支持する工程と、前記太陽電池モジュールの接続部と他の装置とを電気的に接続する工程と、前記支持具を取り外し、前記太陽電池モジュールを倒す工程と、前記太陽電池モジュールの一の辺と他の辺を前記固定レールの一のレールと他のレールにそれぞれ固定する工程と、を有する、太陽電池モジュールの取り付け方法である。
【０００９】
本発明によれば、太陽電池モジュールの取り付けを、簡易で汎用性の高い方法を用いて単独の作業員で行うことができる。
【００１０】
前記太陽電池モジュールの取り付け方法において、前記支持具は、下端に、屈曲した爪部を備えており、前記爪部が前記固定レールの他のレールの隙間に差し込まれて、前記支持具が前記他のレールに係止されるようにしてもよい。かかる場合、簡易な方法で支持具を固定レールに係止できる。
【００１１】
前記太陽電池モジュールの取り付け方法において、前記太陽電池モジュールを起立状態に支持する際に、前記支持具の上部と前記太陽電池モジュールの他の辺とをクリップにより挟んで固定する工程を、さらに有していてもよい。かかる場合、支持具が太陽電池モジュールから外れることを防止できる。
【００１２】
前記支持具は、多段階に設けられた複数の係止部を有し、前記支持具の複数の係止部からひとつの係止部を選択し、当該係止部に太陽電池モジュールの他の辺を係止して、前記太陽電池モジュールを起立状態に支持するようにしてもよい。かかる場合、屋根面の勾配や一対の固定レールの間隔等に応じて適宜係止部を選択でき、支持具の支持長さを調整することができるので、支持具の汎用性を向上できる。
【００１３】
別の観点による本発明は、屋根面との間に隙間のある一対の平行の固定レールに太陽電池モジュールを取り付ける際に太陽電池モジュールを支持するための支持具であって、棒状の本体と、前記本体の下端に設けられ、前記本体に対して屈曲した爪部と、を備えており、前記爪部が前記一対の平行な固定レールのうち少なくとも一方の固定レールと前記屋根面との間の前記隙間に差し込まれ、上部で前記太陽電池モジュールを支持して、前記太陽電池モジュールを起立状態に支持可能な、支持具である。
【００１４】
前記支持具は、多段階に設けられた複数の係止部を有し、複数の係止部から選択された係止部に太陽電池モジュールの上辺を係止して、前記太陽電池モジュールを起立状態で支持するものであってもよい。
【発明の効果】
【００１５】
本発明によれば、太陽電池モジュールの屋根面への取り付け作業を、簡易で汎用性の高い方法で、単独の作業者により行うことができる。
【図面の簡単な説明】
【００１６】
【図１】太陽電池モジュールが取り付けられた屋根面を示す説明図である。
【図２】支持具の構成を示す説明図である。
【図３】屋根面に固定レールが取り付けられた様子を示す説明図である。
【図４】太陽電池モジュールの上辺が持ち上げられた状態を示す説明図である。
【図５】太陽電池モジュールが支持具で支持された状態を示す説明図である。
【図６】支持具と太陽電池モジュールとの係止部の拡大断面図である。
【図７】太陽電池モジュールの接続部にケーブルが接続された状態を示す説明図である      。
【図８】太陽電池モジュールが固定レールに固定された状態を示す説明図である。
【図９】支持具の他の構成を示す説明図である。
【発明を実施するための形態】
【００１７】
以下、図面を参照して、本発明の好ましい実施の形態について説明する。図１は、屋根面Ａ上に取り付けられた太陽電池モジュール１を示す説明図である。
【００１８】
図１に示すように傾斜した屋根面Ａには、固定レール２に沿って多数の太陽電池モジュール１が並べられて設けられる。各太陽電池モジュール１は、方形の板形状を有し、建物の太陽光発電のための他の装置にケーブルを用いて電気的に接続される。本実施の形態では、当該太陽電池モジュール１を屋根面Ａに取り付ける際に用いられる太陽電池モジュール１の取り付け方法について説明する。
【００１９】
先ず、太陽電池モジュール１の取り付け方法において用いられる支持具について説明する。例えば図２に示すように支持具１０は、細長の棒状に形成された本体２０を有し、下部には、本体２０の直線部に対して屈曲する爪部２１を有している。爪部２１は、例えば先に近づくにつれて薄くなる先細形状（楔形形状）を有し、後述する固定レール２と屋根面Ａとの隙間Ｂに差し込み可能である。また、支持具１０は、上部に、本体２０の直線部に対し爪部２１と同じ側に屈曲する係止部２２を有している。係止部２２は、後述の太陽電池モジュール１の枠体５０とパネル５１の隙間に差し込み可能である。また、支持具１０の上部には、本体２０に対し係止部２２の屈曲と同じ側に突出する凸部２３を有している。この凸部２３は、後述のクリップ６０により把持される把持部となる。
【００２０】
次に、支持具１０を用いて行われる太陽電池モジュール１の取り付け方法について説明する。
【００２１】
先ず、図１に示すように屋根面Ａに、太陽電池モジュール１を固定するための一対の平行な固定レール２（下側を固定レール２ａ、上側を固定レール２ｂとする。）が取り付けられる。固定レール２ａ、２ｂは、屋根面Ａの水平方向に向けて設けられる。屋根面Ａには、この一対の固定レール２が複数列設けられる。また、図３に示すように固定レール２ａ、２ｂは、屋根面Ａに固定された高さのある複数の支持金具３０上に、屋根面Ａとの間に隙間Ｂができるように屋根面Ａに取り付けられる。
【００２２】
次に、図４に示すように太陽電池モジュール１の下辺１ａが、斜面に対して下側の固定レール２ａの係止部４０に係止され、当該係止部４０を支点として太陽電池モジュール１の上辺１ｂが持ち上げられる。
【００２３】
次に、図５に示すように支持具１０が、上部の係止部２２で太陽電池モジュール１の上辺１ｂ側を支持し下部の爪部２１が固定レール２ｂの隙間Ｂに差し込まれるように太陽電池モジュール１と固定レール２ｂとの間に介在され、太陽電池モジュール１が斜めの起立状態に支持される。
【００２４】
このとき、図６に示すように太陽電池モジュール１の枠体５０とパネル５１との間にある隙間に、支持具１０の係止部２２が緩衝材５２で覆った状態で差し込まれて、支持具１０が太陽電池モジュール１に係止される。また、図５に示すようにクリップ６０により支持具１０の凸部２３と太陽電池モジュール１が把持されて、支持具１０と太陽電池モジュール１が固定される。
【００２５】
次に、図７に示したように太陽電池モジュール１の下面側にある接続部７０と接続箱などの他の装置とがケーブル７１により電気的に接続される。
【００２６】
次に、図８に示すように支持具１０が取り外され、太陽電池モジュール１が固定レール２ｂ側に倒される。そして、太陽電池モジュール１の下辺１ａと上辺１ｂが固定レール２ａ、２ｂにボルト等を用いてそれぞれ固定される。
【００２７】
本実施の形態によれば、支持具１０を固定レール２ｂの隙間Ｂに差し込んで係止し、太陽電池モジュール１を起立状態に支持して、他の装置と電気的に接続する作業を行うことができるので、太陽電池モジュール１の取り付けを、簡易で汎用性の高い方法を用いて単独の作業員で行うことができる。
【００２８】
支持具１０は、下端に爪部２１を備えており、爪部２１が固定レール２ｂの隙間Ｂに差し込まれて、支持具１０が固定レール２ｂに係止されるので、簡易な方法で支持具１０を固定レール２ｂに係止できる。
【００２９】
太陽電池モジュール１を起立状態に支持する際に、支持具１０の上部と太陽電池モジュール１の上辺１ｂとをクリップ６０により挟んで固定するので、支持具１０が太陽電池モジュール１から外れることを防止できる。
【００３０】
上記実施の形態における支持具１０は、例えば図９に示すように本体２０の側面に多段階に設けられた複数の溝状の係止部８０を有し、支持具１０の複数の係止部８０からひとつの係止部８０を選択し、当該係止部８０に太陽電池モジュール１の上辺１ｂを係止して、太陽電池モジュール１を起立状態に支持するようにしてもよい。かかる場合、屋根面Ａの勾配や固定レール２ａ、２ｂの間隔等に応じて適宜係止部８０を選択でき、支持具１０の支持長さを調整することができるので、支持具１０の汎用性を向上できる。
【００３１】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【産業上の利用可能性】
【００３２】
本発明は、太陽電池モジュールの屋根面への取り付けを、簡易で汎用性の高い方法で、単独の作業者で行う際に有用である。
【符号の説明】
【００３３】
１  太陽電池モジュール
１ａ  下辺
１ｂ  上辺
２、２ａ、２ｂ  固定レール
１０  支持具
２０  本体
２１  爪部
７０  接続部
Ａ  屋根面
Ｂ  隙間
【図１】
0005925494.tif 000002
【図２】
0005925494.tif 000003
【図３】
0005925494.tif 000004
【図４】
0005925494.tif 000005
【図５】
0005925494.tif 000006
【図６】
0005925494.tif 000007
【図７】
0005925494.tif 000008
【図８】
0005925494.tif 000009
【図９】
0005925494.tif 000010